(57)【要約】【課題】ユーザが望む番組についてのみ簡易な方法で一括して録画予約を行いつつ、番組の見逃しを効果的に防止できるとともに、設定した録画予約情報を他のユーザと共有することのできる録画装置および録画方法を提供する。【解決手段】録画設定手段と、第１受信手段と、第２受信手段と、録画制御手段と、を備える録画装置。録画設定手段は放送される所定数のコンテンツの同時録画を行う時間帯を規定する録画スケジュールを設定し、第１受信手段は外部記憶装置に記憶されている他の録画スケジュールを外部記憶装置から受信し、第２受信手段は録画設定手段により設定された録画スケジュールまたは第１受信手段により受信した他の録画スケジュールに従い時間帯に送信される所定数のコンテンツを受信し、録画制御手段は第２受信手段が受信したコンテンツを記憶装置に録画する。【選択図】図４
2013115757.tif 000002
【特許請求の範囲】
【請求項１】
放送される所定数のコンテンツの同時録画を行う時間帯を規定する録画スケジュールを設定する録画設定手段と、
外部記憶装置に記憶されている他の録画スケジュールを前記外部記憶装置から受信する第１受信手段と、
前記録画設定手段により設定された前記録画スケジュールまたは前記第１受信手段により受信した前記他の録画スケジュールに従い前記時間帯に送信される前記所定数のコンテンツを受信する第２受信手段と、
前記第２受信手段が受信した前記コンテンツを記憶装置に録画する録画制御手段と、
を備える録画装置。
【請求項２】
前記録画設定手段により設定された前記録画スケジュールを前記外部記憶装置に送信する送信手段を備える請求項１記載の録画装置。
【請求項３】
前記録画設定手段は、前記録画スケジュールとして、録画を行う曜日または録画対象とする放送局を規定する請求項１または２記載の録画装置。
【請求項４】
前記他の録画スケジュールに含まれる放送局の数が、前記第２受信手段が同時に受信できる前記コンテンツの数より多い場合、前記録画設定手段は、前記他の録画スケジュールに含まれる前記放送局から、録画対象とする前記放送局を、前記第２受信手段が同時に受信できる前記コンテンツの数以下となるように選択する請求項３記載の録画装置。
【請求項５】
前記録画設定手段により設定された前記録画スケジュールおよび前記第２受信手段が前記外部記憶装置から受信した前記他の録画スケジュールを記憶する記憶手段を備える請求項１乃至４の何れかに記載の録画装置。
【請求項６】
所定数の放送局から送信される所定数のコンテンツの同時録画を行う時間帯を規定する録画スケジュールを設定する録画設定工程と、
外部記憶装置に記憶されている他の録画スケジュールを前記外部記憶装置から受信する第１受信工程と、
前記録画設定工程において設定された前記録画スケジュールまたは前記第１受信工程において受信した前記他の録画スケジュールに従い前記時間帯に送信される前記所定数のコンテンツを受信する第２受信工程と、
前記第２受信工程において受信した前記所定数のコンテンツを記憶装置に録画する録画工程と、
を備える録画方法。
【発明の詳細な説明】
【技術分野】
【０００１】
本発明の実施形態は、録画装置および録画方法に関する。
【背景技術】
【０００２】
従来、録画装置では、番組の録画予約機能が設けられている。そして、録画装置では、録画予約機能を利用することで、設定された時間になると設定されたチャンネル（放送局）の番組を自動的に録画できる。この場合、ユーザは、視聴したい番組毎に予約録画を設定する必要があった。
【０００３】
これに対し、従来の録画装置の一例として、複数のチューナと大容量の記憶装置を備えた録画装置が提案されている。当該録画装置では、複数のチューナ及び大容量の記憶装置を用いて、全チャンネル、全時間帯の番組の録画を行う録画モードを備えている。これにより、ユーザは、予約録画を行わずとも、録画された番組の視聴が可能となり、番組の見逃しも効果的に防止することができる。
【０００４】
また、近年では、番組毎の予約録画情報を共有する予約録画システムが提案されている。当該予約録画システムでは、複数の録画装置と共有サーバとがネットワークによって接続され、ある録画装置において設定された録画予約情報が共有サーバにアップロードされ、他の録画装置が共有サーバからこの録画予約情報をダウンロードする。
【０００５】
このようなシステムでは、他の録画装置において設定された録画予約情報を用いて録画予約を行えるため、各録画装置において録画予約を行う手間が省け、便利である。
【先行技術文献】
【特許文献】
【０００６】
【特許文献１】特開２００５−１１００４７号公報
【発明の概要】
【発明が解決しようとする課題】
【０００７】
ところで、上述した全チャンネル、全時間帯の録画を行う録画モードを用いる場合、ユーザが視聴を望む時間帯だけでなく、不要な時間帯も録画してしまうことがある。このような不要な時間帯を録画することは、ＨＤＤ等の記憶手段の記憶容量を不必要に増大させる。そのため、ユーザが望む時間帯についてのみ簡易な方法で一括して録画予約を行いつつ、番組の見逃しを効果的に防止できる録画装置が望ましい。
【０００８】
また、上述したように、設定された録画予約情報を他のユーザと共有できるようにすることが望ましい。特に、ユーザが望む所定のジャンルを多く含む時間帯の一括録画予約情報は、同じ嗜好を有する他のユーザにも有用である。
【０００９】
本発明が解決しようとする課題は、ユーザが望む番組についてのみ簡易な方法で一括して録画予約を行い、番組の見逃しを効果的に防止できるとともに、設定した録画予約情報を他のユーザと共有することのできる録画装置および録画方法を提供することである。
【課題を解決するための手段】
【００１０】
実施形態の録画装置は、録画設定手段と、第１受信手段と、第２受信手段と、録画制御手段と、を備える。録画設定手段は放送される所定数のコンテンツの同時録画を行う時間帯を規定する録画スケジュールを設定し、第１受信手段は外部記憶装置に記憶されている他の録画スケジュールを外部記憶装置から受信し、第２受信手段は録画設定手段により設定された録画スケジュールまたは第１受信手段により受信した他の録画スケジュールに従い時間帯に送信される所定数のコンテンツを受信し、録画制御手段は第２受信手段が受信したコンテンツを記憶装置に録画する。
【図面の簡単な説明】
【００１１】
【図１】図１は、本実施形態に係る録画装置を含む放送システムを示すブロック図である。
【図２】図２は、録画装置のハードウェア構成を示すブロック図である。
【図３】図３は、本実施形態における録画装置の制御部の機能ブロック図である。
【図４】図４は、映像表示器に表示した同時録画予約表の一例を示す図である。
【図５】図５は、図４の設定・アップロードボタンを選択した場合に表示される画面の例を示す図である。
【図６】図６は、設定共有サーバにアップロードされた録画スケジュールのダウンロード時に映像表示器に表示されるダウンロード画面の例を示す図である。
【図７】図７は、図６のダウンロード画面において複数の録画スケジュールを選択した状態を示す図である。
【図８】図８は、自機が備えるチューナ数よりも多いチューナ数を想定した録画スケジュールをダウンロードするときのダウンロード画面の例を示す図である。
【図９】図９は、本実施形態に係る録画装置による録画スケジュールの設定とアップロードの手順を示すフローチャートである。
【図１０】図１０は、設定共有サーバにアップロードされた録画スケジュールをダウンロードする手順を示すフローチャートである。
【発明を実施するための形態】
【００１２】
以下、本発明の実施形態に係る録画装置について図を用いて説明する。図１は、本実施形態に係る録画装置を含む放送システム１を示すブロック図である。
【００１３】
本実施形態に係る放送システム１は、デジタル放送システムであり、複数の録画装置２がインターネット回線３を通じて設定共有サーバ４に接続されている。なお、本実施携帯に係る放送システム１による録画が行われる放送としては、一般的な電波を介する放送の他、ＩＰ放送も含まれている。
【００１４】
録画装置２は、複数のチューナを備えていて、放送中の複数のコンテンツを同時に受信し、録画する。また、録画装置２は、予め設定された録画スケジュールに従い将来放送されるコンテンツの録画を行う、いわゆる予約録画を行うこともできる。録画装置２は、予約録画を行う場合も、予め設定された時間帯に放送される複数のコンテンツを同時に受信し、同時に録画する。録画スケジュールとして、録画を行う１つまたは複数の時間帯、録画対象とする複数のチャンネルおよび１つまたは複数の曜日が規定される。
【００１５】
なお、本実施形態に係る録画装置２は、所定の時間帯に同時に放送される複数のチャンネルのコンテンツを全て同時に録画する一方で、設定により１つのコンテンツのみを録画することも可能である。
【００１６】
録画装置２は、設定した録画スケジュールを後述する設定共有サーバ４に送信（アップロード）することができる。また、録画装置２は、設定共有サーバ４に保存され共有されている録画スケジュールを受信（ダウンロード）して、自機の録画スケジュールとして利用することができる。
【００１７】
なお、本実施形態に係る録画装置２は、デジタルテレビ等のテレビジョンに内蔵された録画装置を想定しているが、本発明においてはこれに限らず、テレビジョンと別体であるＨＤＤレコーダやＤＶＤレコーダ等であってもよい。
【００１８】
設定共有サーバ４は、録画装置２において設定され送信された録画スケジュールを受信し記憶する。また、設定共有サーバ４は、録画装置２からの要求に従い、記憶されている録画スケジュールを録画装置２に送信する。すなわち、設定共有サーバ４に記憶された録画スケジュールは、インターネット回線３を介して接続されている複数の録画装置２により共有された状態となっている。
【００１９】
図２は、録画装置２のハードウェア構成を示すブロック図である。録画装置２は、分配器２１１と、６つのチューナ２１２、復調器２１３および復号器２１４と、信号処理部２１５と、映像処理部２１７と、映像表示器２１８と、音声処理部２１９と、スピーカ２２０と、制御部２２１と、操作部２２５と、受光部２２６と、通信インターフェース２２７と、ＨＤＤ２２８と、リモコン２２９とを備えて構成されている。
【００２０】
この録画装置２は、装置各部の動作を制御する制御部２２１を備えている。制御部２２１は、ＣＰＵ（Central  Processing  Unit）等を内蔵している。制御部２２１は、操作部２２５から入力される操作信号や、リモートコントローラ２２９から送信され受光部２２６を介して受信される操作信号に応じて、ＲＯＭ（Read  Only  Memory）２２２に予め記憶されたシステム制御プログラム及び各種処理プログラムを起動させる。制御部２２１は、起動したプログラムに従って、ＲＡＭ（Random  Access  Memory）２２３をワークメモリとして装置各部の動作を制御する。各部の動作制御に必要な各種の設定情報及び制御情報等は、一例として、不揮発性メモリ２２４に格納される。
【００２１】
分配器２１１は、各放送局から送信される放送コンテンツが含まれる信号を、放送局毎に各チューナ２１２に分配する。
【００２２】
チューナ２１２は、受信した信号を同調して処理可能なベースバンド信号に変換する。なお、このデータ信号は圧縮された状態となっている。本実施形態において、録画装置２は６個のチューナ２１２を備えている。そして、６個のチューナ２１２は、後述する時間帯選択部により選択された時間帯に放送される複数のチャンネルの番組を同時に録画する同時録画に用いられる。チューナ２１２は、受信したデジタル放送信号のチューニングを行い、チューニングしたデジタル放送信号をそれぞれの復調器２１３に送信する。なお、本実施形態においては録画装置２が備えるチューナの数を６つとしたが、本発明においてはこれに限らず、６つより少ない、あるいは６より多い数のチューナを備えてもよい。
【００２３】
復調器２１３は、ＴＳの復調を行い、復調したＴＳをそれぞれの復号器２１４に供給し、復号器２１４は、ＴＳをデジタル映像信号および音声信号等に復号した後、復号した信号を信号処理部２１５に出力する。なお、復調器２１３と復号器２１４はそれぞれ、チューナ２１２と同数個である６個ずつ存在し、それぞれ１つずつ６個のチューナ２１２のそれぞれに割り当てられている。
【００２４】
信号処理部２１５は、復号器２１４から出力された放送信号に、適切な信号処理を施す。放送信号は、データ信号、映像信号および音声信号に分離される。このデータ信号には放送された番組を示す種々の情報である番組関連情報が含まれている。この番組関連情報には、番組の番組名、番組が属するジャンル、番組が放送されるチャンネルを示すチャンネル情報、番組が放送される日付および時間（以下、日時とする）を示す日時情報などを含む番組情報が番組毎に含まれているものとする。分離された映像信号はグラフィック処理部２１６に、音声信号は音声処理部２１９に出力される。また、信号処理部２１５は、通信インターフェース２２７を介する外部機器からの入力信号にも所定の信号処理を施す。なお、映像信号および音声信号を合わせて、コンテンツデータという。
【００２５】
グラフィック処理部２１６は、信号処理部２１５から出力される映像信号のデコード処理を行う。デコードされた映像信号は、映像処理部２１７に出力される。
【００２６】
映像処理部２１７は、グラフィック処理部２１６から出力された信号を、映像表示器２１８で表示可能なフォーマットの映像信号に変換する。変換された映像信号は、映像表示器２１８に出力される。また、映像処理部２１７は、外部出力端子（不図示）に接続されたＨＤＤ２２８等の外部装置に映像信号を出力することができる。なお、映像表示器２１８は、本実施例においてはデジタルテレビのディスプレイである。
【００２７】
音声処理部２１９は、入力された音声信号を、スピーカ２２０で再生可能なフォーマットの音声信号に変換する。変換された音声信号は、スピーカ２２０に出力されて再生される。また、音声処理部２１９は、外部出力端子（不図示）に接続されたアンプ等の外部装置（不図示）に音声信号を出力することができる。
【００２８】
制御部２２１は、ＨＤＤ２２８にコンテンツデータ、画像、音楽、各種情報（例えば、放送信号から分離したデータ信号に含まれる番組関連情報やコンテンツデータ、録画するチャンネルとして予め選択されたチャンネルを示す録画スケジュールなど）を格納することができる。なお、制御部２２１は、信号処理部２１５において放送信号から分離したデータ信号に含まれる番組関連情報を、所定時間毎に取得し、取得した番組関連情報によってＨＤＤ２２８に格納されている番組関連情報を更新するものとする。これにより、ＨＤＤ２２８に格納されている番組関連情報を最新の状態に維持することができる。また、制御部２２１は、ＨＤＤ２２８に格納されたコンテンツデータ、画像、音楽を読み出して、映像表示器２１８に表示させたり、スピーカ２２０から音声出力させたりすることができる。
【００２９】
本実施形態では、ＨＤＤ２２８は、制御部２２１の制御の下で、ユーザにより選択された時間帯に放送される複数のチャンネルの番組のコンテンツデータを同時に録画する同時録画に用いられる。
【００３０】
図３は、本実施形態における録画装置２の制御部２２１の機能ブロック図である。制御部２２１は、第１受信部３０１、録画制御部３０２、録画設定部３０３、送信部３０４、第２受信部３０５および記憶部３０６が設けられている。
【００３１】
第１受信部３０１は、設定共有サーバ４に記憶されている他の録画スケジュールの受信を行う。
【００３２】
録画制御部３０２は、後述する第２受信部３０５により受信されたコンテンツを、記憶装置としてのＨＤＤ２２８に録画する。録画制御部３０２は、最大で６つのチャンネルのコンテンツを同時に録画することができる。録画制御部３０２は、コンテンツデータをＨＤＤ２２８に録画する際、録画するコンテンツデータに、そのコンテンツデータの識別情報を付加してＨＤＤ２２８に録画する。ここで、識別情報は、コンテンツデータを識別するための情報であり、コンテンツデータを録画した番組の番組名、コンテンツデータを録画した番組が属するジャンル、コンテンツデータを録画した録画日時、コンテンツデータを録画した番組のチャンネルを示すチャンネル情報などを含むものとする。なお、識別情報は、放送信号から分離したデータ信号に含まれる番組関連情報から取得するものとする。
【００３３】
録画制御部３０２は、ＨＤＤ２２８にコンテンツデータを録画する場合、新たなコンテンツデータを録画するための領域を確保し、確保した領域にコンテンツデータを録画させる。その際、録画制御部３０２は、確保した領域に既にコンテンツが録画されている場合には、当該既に録画されているコンテンツデータに、新たなコンテンツデータを上書きするものとする。なお、ＨＤＤ２２８内の領域は、同時録画するチャンネル毎に分けられており、録画制御部３０２は、コンテンツデータを、チャンネル毎に分けて録画する。また、本実施形態においては録画制御部３０２はＨＤＤ２２８にコンテンツデータの録画を行っていたが、本発明においてはこれに限らず、外付ＨＤＤ等の外部記憶装置に録画を行うようにしてもよい。
【００３４】
録画設定部３０３は、録画制御部３０２により実行される録画の時間帯を規定する録画スケジュールを設定する。録画スケジュールの設定は、後述する同時録画予約表４００（図４参照）を用いて行われる。
【００３５】
送信部３０４は、録画設定部３０３により設定された録画スケジュールを外部記憶装置としての設定共有サーバ４（図１参照）に送信する。
【００３６】
第２受信部３０５は、図２に示す分配器２１１、チューナ２１２、復調器２１３、復号器２１４および信号処理部２１５等を制御し、最大で６つのチャンネルのコンテンツを同時に受信することができる。
【００３７】
記憶部３０６は、録画設定部３０３により設定された録画スケジュールおよび第１受信部３０１が設定共有サーバ４から受信した他の録画スケジュールを記憶する。本実施形態にかかる録画装置２は、全チャンネル、全時間帯の番組の録画を行う録画モード（全録画モード）を備えているが、録画スケジュールが設定されている場合に当該録画スケジュールに従って番組の録画制御を行う。ところで、全録画モードでは、全チャンネル、全時間帯の番組の録画を行うことで、ユーザの見逃しを防止することができるが、記憶部３０６の容量の増大を招くことになる。これに対し、録画設定部３０３が、録画スケジュールを設定することで、記憶部３０６の容量の増大を抑止できる一方、ユーザの見逃しが生じる可能性も生じるため、適切に録画時間帯を設定する必要がある。そこで、本実施形態にかかる録画装置２では、ユーザの負担を軽減するために録画スケジュールを、他のユーザとの間で共有することとした。
【００３８】
次に、上述した録画装置２を用いた録画スケジュールの設定について説明する。図４は、映像表示器２１８に表示した同時録画予約表４００の一例を示す図である。
【００３９】
録画設定部３０３は、図４に示す同時録画予約表４００に配列された時間帯セル４０３が表す時間帯の中からユーザにより選択された、録画制御部３０２によって録画する１または複数の時間帯を認識する。
【００４０】
同時録画予約表４００は、時間帯を示す時間帯情報４０１、録画を行う曜日を示す曜日情報４０２、録画を行う時間帯を示す選択単位である時間帯セル４０３、録画を行うチャンネルを示すチャンネル情報４０５、選択した内容で録画スケジュールを設定する設定ボタン４０７、選択した内容で録画スケジュールを設定すると共に、設定した録画スケジュールを他の録画装置２と共有するため設定共有サーバ４にアップロードする設定・アップロードボタン４０８、および設定操作をキャンセルするキャンセルボタン４０９を備えて構成されている。
【００４１】
カーソル４１０は、時間帯セル４０３の選択に用いられるカーソルであり、カーソル４０６は、チャンネルの選択に用いられるカーソルである。すでに選択が行われた時間帯セル４０３は、図４中４１１で示すように、未選択のセルと異なる色で表示される。また、すでに選択が行われたチャンネルは、図４のチャンネル情報４０５において、未選択のチャンネルと異なる色で表示される。なお、本実施形態に係る録画装置２においては、全チャンネルが選択された状態が初期設定となっていて、図４も全チャンネルが選択された状態を示している。
【００４２】
録画設定部３０３は、映像表示器２１８に表示された同時録画予約表４００において、リモートコントローラ２２９または操作部２２５による所定の操作により、カーソル４１０が移動した時間帯セル４０３が表す時間帯を、録画する時間帯として選択する。
【００４３】
なお、本実施形態では、録画設定部３０３による時間帯の選択は、時間帯セル４０３単位で行われる。録画設定部３０３は、ユーザにより所定の時間帯の時間帯セル４０３が選択された後、カーソル４１０が曜日情報４０２に移動され、複数の曜日間で移動された場合、カーソル４１０が移動した複数の曜日の全てについて録画スケジュールに含めるものとして選択する。
【００４４】
また、録画設定部３０３は、ユーザによりカーソル４０６が移動され、チャンネルの選択が解除されたときは、当該解除されたチャンネル以外のチャンネルについて録画スケジュールに含めるものとして選択する。
【００４５】
このように、本実施例に係る録画装置２を用いることで、同一時間帯において録画を行う録画スケジュールとして、複数の曜日および複数のチャンネルを容易に一括して設定することができる。
【００４６】
そして、録画設定部３０３は、上述したように同時録画を行う時間帯、チャンネルおよび曜日が選択された後、ユーザにより設定ボタン４０７が選択されることで、選択した内容を録画スケジュールとして設定する。
【００４７】
また、ユーザにより設定・アップロードボタン４０８が選択されると、録画設定部３０３は、選択した内容を録画スケジュールとして設定する。また、送信部３０４は、設定された録画スケジュールを他の録画装置２と共有するため設定共有サーバ４にアップロードする。こうしてアップロードされた録画スケジュールは、インターネット回線３を通じて他の録画装置２によりダウンロード可能な状態となる。
【００４８】
図５は、図４の設定・アップロードボタン４０８を選択した場合に表示される画面の例を示す図である。図４の同時録画予約表４００を用いて録画する時間帯、曜日およびチャンネルを選択した後、設定・アップロードボタン４０８を選択すると、録画スケジュールの設定が行われると共に、図５に示す画面が表示される。
【００４９】
図５に示す画面は、選択した録画スケジュールの設定共有サーバ４へのアップロードに先立ち、録画スケジュールのファイルに名前をつけるための画面である。ユーザが図５に示す画面の設定名欄５０１に設定名を入力した後、アップロードボタン５０２を選択すると、送信部３０４は、選択した録画スケジュールに設定名を付して設定共有サーバ４にアップロードする。なお、アップロードをキャンセルしたい場合には、キャンセルボタン５０３を選択すればよい。
【００５０】
こうして設定共有サーバ４にアップロードされた録画スケジュールは、他の録画装置２による利用が可能な状態となる。次に、設定共有サーバ４にアップロードされた録画スケジュールを他の録画装置２が利用する場合について説明する。
【００５１】
図６は、設定共有サーバ４にアップロードされた録画スケジュールのダウンロード時に制御部２２１により映像表示器２１８に表示されるダウンロード画面６００の例を示す図である。ユーザが録画装置２の操作部２２５またはリモコン２２９を用いて所定の操作をすると、制御部２２１は、図６に示すダウンロード画面６００を映像表示器２１８に表示する。
【００５２】
ダウンロード画面６００は、左右２つの領域に大別される。左側の領域は、ダウンロード可能な録画スケジュールリスト６１５が表示される領域となっている。右側の領域は、録画スケジュールリスト６１５において選択された録画スケジュールの内容、すなわち録画を行う曜日、時間帯およびチャンネルが表示される領域となっている。
【００５３】
録画スケジュールリスト６１５には、設定共有サーバ４にアップロードされている録画スケジュールの一覧が縦に並べて表示されている。また、ユーザが縦に並べられた録画スケジュールの一覧の上側にある上キー６１７および下側にある下キー６１８を操作部２２５またはリモコン２２９を用いて選択することで、表示をスクロールし、画面に表示されていない他の録画スケジュールを表示することができる。
【００５４】
各録画スケジュールには、設定名、アップロードしたユーザ名、および登録日時が表示されている。設定名は図５において設定した名称である。ユーザ名としては予め自身の録画装置２において設定した任意の名前が表示される。登録日時は録画スケジュールを設定共有サーバ４にアップロードした日時が表示される。
【００５５】
各録画スケジュールの左側には、チェックボックス６１６が表示されている。ユーザがリモートコントローラ２２９または操作部２２５を用いて任意の録画スケジュールを選択すると、このチェックボックス６１６にチェックが入るようになっている。図６においては、設定名が「ドラマ全録り」となっている録画スケジュールが選択され、当該録画スケジュールの左側にあるチェックボックス６１６にチェックが入った状態となっている。本実施形態にかかる「ドラマ全録り」では、ドラマを放送されている可能性のある時間帯について、複数チャンネルの同時録画を行うよう設定がなされているものとする。「ドラマ全録り」は、番組の予約設定ではなく、ドラマを放送している可能性のある時間帯の設定であるため、ユーザが事前に認識していなかったドラマ等の見逃しを抑止することができる。さらには、本実施形態にかかる録画装置２では、複数チャンネルの同時録画を行っているため、ドラマの視聴を可能にするほか、当該ドラマの裏番組の視聴も可能とする。
【００５６】
ダウンロード画面６００の右側には、選択されている録画スケジュールについての詳細が表示される。図６では「ドラマ全録り」の録画スケジュールが選択されているため、右側の画面には、この「ドラマ全録り」の内容が表示されている。「ドラマ全録り」の内容としては、図４を用いて説明した同時録画予約表４００と同様に、録画を行う曜日、時間帯およびチャンネルが表示されている。
【００５７】
右側の画面には、時間帯を示す時間帯情報６０１、録画を行う曜日を示す曜日情報６０２、録画を行う時間帯を示す選択単位である時間帯セル６０３、録画を行うチャンネルを示すチャンネル情報６０５および選択した録画スケジュールをダウンロードするダウンロードボタン６０７を備えて構成されている。また、カーソル６０６は、現在録画スケジュールが表示されているチャンネルを示している。このカーソル６０６を移動させることで、「ドラマ全録り」の他の曜日の録画スケジュールが表示される。選択が行われている時間帯セル６０３は、図６中６１１で示すように、未選択のセルと異なる色で表示される。
【００５８】
なお、このダウンロード画面６００においては、複数の録画スケジュールを指定してダウンロードすることができる。図７は、図６のダウンロード画面６００において複数の録画スケジュールを選択した状態を示す図である。図７に示す画面では、録画スケジュールとして上述した「ドラマ全録り」の他、設定名が「アニメ中心」となっている録画スケジュールの２つが選択されている。
【００５９】
ここで、右側の画面における「ドラマ全録り」の録画スケジュールの内容６１１ａは、録画スケジュールリスト６１５に表示されている「ドラマ全録り」の部分の色やトーン等の表示形態と同様の表示形態を用いて表示されている。また、右側の画面における「アニメ中心」の録画スケジュールの内容６１１ｂは、録画スケジュールリスト６１５に表示されている「アニメ中心」の部分の表示形態と同様の表示形態を用いて表示されている。
【００６０】
なお、本実施例においては図２に示すように録画装置２のチューナ２１２の数は６つである。しかし、録画装置２の機種によっては６つより多いチューナを備え、その機種用の録画スケジュールを設定し、アップロードしていることがある。このように、自機が備えるチューナ数よりも多いチューナ数を想定した録画スケジュールをダウンロードするときの操作を、図８を用いて説明する。
【００６１】
図８は、自機が備えるチューナ数よりも多いチューナ数を想定した録画スケジュールをダウンロードするときのダウンロード画面８００の例を示している。この例では、本実施形態に係る録画装置２と同様に６つのチューナを有する機種が、８つのチューナを有する機種を想定した録画スケジュールをダウンロードする場合を示している。なお、図８においては、図６または図７に示す画面の左側に表示されていた録画スケジュールリストが省略されているが、実際の装置では、図８の画面の左側にも録画スケジュールリストが表示されるものとする。
【００６２】
図８の画面は、図６または図７に示した画面と同様に、時間帯を示す時間帯情報８０１、録画を行う曜日を示す曜日情報８０２、録画を行う時間帯を示す選択単位である時間帯セル８０３、録画を行うチャンネルを示すチャンネル情報８０６および選択した録画スケジュールをダウンロードするダウンロードボタン８０７を備えて構成されている。また、図８の画面では、チャンネル情報８０６の下に、どのチャンネルを選択するかを示すチェックボックス８０８が、チャンネル毎に設けられている。
【００６３】
そして、ユーザは、操作部２２５またはリモコン２２９を用いてこのチェックボックス８０８にチェックを入れることで、自機のチューナ数と同じ６つまでチャンネルを選択することができる。図８では、Ｃｈ１〜Ｃｈ８の８つのチャンネルのうち、Ｃｈ１、Ｃｈ２、Ｃｈ４、Ｃｈ５、Ｃｈ６およびＣｈ８の６つのチャンネルが選択されている。このように、選択した録画スケジュールが自機のチューナ数より多いチューナ数を有する機種を想定して設定されている場合でも、選択されたチャンネルに関してのみダウンロードをすることができ、自機のチューナ数より多いチューナ数を有する機種を想定した録画スケジュールも利用することができる。
【００６４】
次に、上述した録画装置２を用いた録画スケジュールの設定とアップロードの手順について説明する。図９は、本実施形態に係る録画装置２による録画スケジュールの設定とアップロードの手順を示すフローチャートである。
【００６５】
まず、制御部２２１は、映像表示器２１８に、図４に示す同時録画予約表４００を表示する（ステップＳ１）。
【００６６】
次に、制御部２２１（録画設定部３０３）は、設定後、図４の設定ボタン４０７、設定・アップロードボタン４０８およびキャンセルボタン４０９のうち、どのボタンが選択されたかを判断する（ステップＳ２）。
【００６７】
ステップＳ２において選択されたのが設定・アップロードボタン４０８の場合、制御部２２１は、映像表示器２１８に、図５の設定名入力ＧＵＩ（Graphical  User  Interface）を表示する（ステップＳ３）。
【００６８】
次に、制御部２２１（録画設定部３０３）は、図５のアップロードボタン５０２およびキャンセルボタン５０３の、どちらのボタンが選択されたかを判断する（ステップＳ４）。
【００６９】
ステップＳ４において選択されたのがアップロードボタン５０２である場合、制御部２２１（送信部３０４）は、設定共有サーバ４に録画スケジュールの設定情報をアップロードする（ステップＳ５）。また、キャンセルボタン５０３である場合には、制御部２２１はステップＳ１に戻る。
【００７０】
次に、制御部２２１は、録画スケジュールを自機に設定し（ステップＳ６）、一連の動作が終了する。
【００７１】
一方、ステップＳ２において選択されたのが設定ボタン４０７である場合には、制御部２２１（録画設定部３０３）はステップＳ６に進む。また、キャンセルボタン４０９である場合には、制御部２２１（録画設定部３０３）は一連の動作を終了する。
【００７２】
次に、設定共有サーバ４にアップロードされた録画スケジュールをダウンロードする場合の手順について説明する。図１０は、設定共有サーバ４にアップロードされた録画スケジュールをダウンロードする手順を示すフローチャートである。
【００７３】
まず、制御部２２１は、映像表示器２１８に、図６に示すダウンロード画面６００を表示する（ステップＳ１１）。
【００７４】
次に、制御部２２１（録画設定部３０３）は、図６に示すダウンロード画面６００において、録画スケジュールのうち何れかが操作部２２５またはリモコン２２９の操作により選択された状態であるか否かを判断する（ステップＳ１２）。
【００７５】
録画スケジュールが選択された状態である場合（ステップＳ１２：Ｙｅｓ）、制御部２２１は、選択された録画スケジュールの左側にあるチェックボックス６１６にチェックを入れて選択状態として、録画時刻設定画面（図６の右側の画面）に録画スケジュールの情報を表示する（ステップＳ１３）。
【００７６】
次に、制御部２２１（録画設定部３０３）は、１つ以上の録画スケジュールが選択された状態でダウンロードボタン６０７が押されたか否かの判断を行う（ステップＳ１４）。
【００７７】
ステップＳ１４において１つ以上の録画スケジュールが選択された状態でダウンロードボタン６０７が押された場合（ステップＳ１４：Ｙｅｓ）、制御部２２１（録画設定部３０３）は、選択された各録画スケジュールに含まれるチャンネル数（放送局数）が、自機のチューナ２１２の数より多いか否かを判断する（ステップＳ１５）。
【００７８】
ステップＳ１５において選択された各録画スケジュールに含まれる放送局数が、自機のチューナ２１２の数より多い場合（ステップＳ１５：Ｙｅｓ）、制御部２２１は、図８のダウンロード画面８００（放送局選択画面）を表示する（ステップＳ１６）。
【００７９】
次に、ユーザの操作部２２５またはリモコン２２９の操作によりダウンロードする放送局が選択されると、制御部２２１（第２受信部３０５）は、選択された録画スケジュールを設定共有サーバ４からダウンロードする。そして、制御部２２１（記憶部３０６）がダウンロードした録画スケジュールをＲＯＭ２２２に記憶することで、当該録画スケジュールを自機に適用し（ステップＳ１７）、一連の動作が終了する。
【００８０】
一方、ステップＳ１４において、１つ以上の録画スケジュールが選択されずにダウンロードボタン６０７が押された場合（ステップＳ１４：Ｎｏ）、制御部２２１（録画設定部３０３）は、ステップＳ１２に戻る。
【００８１】
また、ステップＳ１５において、選択された各録画スケジュールに含まれる放送局数が、自機のチューナ２１２の数以下である場合（ステップＳ１５：Ｎｏ）、制御部２２１は、ステップＳ１７へと進む。
【００８２】
そして、録画装置２は、録画スケジュールに従って、同時間帯の複数チャンネルの番組を録画している。これにより、制御部２２１は、ユーザからの操作に従って、録画した番組の再生制御できる。さらに、同時間帯の複数チャンネルの番組を録画しているため、録画装置２が、録画している番組の再生制御中に、ユーザからチャンネルの選択操作を受け付けた場合、再生制御していた番組と同時間帯に放送していた番組の再生を行うことができる。これにより、録画装置２は、ユーザが録画された番組を視聴する場合であっても、リアルタイムに視聴している場合と同様の体験を提供することができる。
【００８３】
上述した本実施形態に係る録画装置によると、ユーザは所定の時間帯に同時に放送されている複数の番組を一括して録画することができる。ニュースやアニメ、ドラマ等、似たジャンルのテレビ番組は同一の時間帯に放送される傾向があるため、ユーザは好みのジャンルの番組が放送される時間帯を指定して複数のチャンネルの同時録画を行うことで、各チャンネルで放送される好みのジャンルの番組をまとめて録画することができる。
【００８４】
また、所定の時間帯に放送される複数の番組を同時に録画することで、最も視聴したい番組だけでなく、その番組に対するいわゆる裏番組についても見逃しを効果的に防止することができる。
【００８５】
また、全時間帯の番組を録画するのではなく、所望の時間帯についてのみ録画を行うことで、録画装置の記憶容量の増大を効果的に防止することができる。
【００８６】
また、設定した録画スケジュールを設定共有サーバにアップロードして他のユーザと共有可能となることで、他のユーザは自らの嗜好に合った録画スケジュールを得ることができ、自分で録画予約の設定を行う手間を省くことができる。
【００８７】
なお、本実施形態の録画装置２で実行されるプログラムは、ＲＯＭ等に予め組み込まれて提供されるが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００８８】
さらに、本実施形態の録画装置２で実行されるプログラムを、インターネット等のネットワークに接続されたコンピュータ上に格納し、ネットワーク経由でダウンロードさせることにより提供するように構成しても良い。また、本実施形態の録画装置２で実行されるプログラムをインターネット等のネットワーク経由で提供または配布するように構成しても良い。
【００８９】
本実施形態の録画装置２で実行されるプログラムは、上述した各部（第１受信部３０１、録画制御部３０２、録画設定部３０３、送信部３０４、第２受信部３０５、記憶部３０６など）を含むモジュール構成となっており、実際のハードウェアとしてはＣＰＵ（プロセッサ）が上記ＲＯＭ２２２からプログラムを読み出して実行することにより上記各部が主記憶装置上にロードされ、第１受信部３０１、録画制御部３０２、録画設定部３０３、送信部３０４、第２受信部３０５、記憶部３０６などが主記憶装置上に生成されるようになっている。
【００９０】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００９１】
１…放送システム、２…録画装置、３…インターネット回線、４…設定共有サーバ、２１１…分配器、２１２…チューナ、２１３…復調器、２１４…復号器、２１５…信号処理部、２１６…グラフィック処理部、２１７…映像処理部、２１８…映像表示器、２１９…音声処理部、２２０…スピーカ、２２１…制御部、２２２…ＲＯＭ、２２３…ＲＡＭ、２２４…不揮発性メモリ、２２５…操作部、２２６…受光部、２２７…通信インターフェース、２２８…ＨＤＤ、２２９…リモコン
【図１】
2013115757.tif 000003
【図２】
2013115757.tif 000004
【図３】
2013115757.tif 000005
【図４】
2013115757.tif 000006
【図５】
2013115757.tif 000007
【図６】
2013115757.tif 000008
【図７】
2013115757.tif 000009
【図８】
2013115757.tif 000010
【図９】
2013115757.tif 000011
【図１０】
2013115757.tif 000012